(57)【要約】【課題】遊技機用施錠装置において、閉じ状態となる寸前に、前枠を持ち上げるようにして外枠に対して前枠を正しい位置に修正することができ、さらに強引に前枠をこじ開けるような不正行為に対してもこじ開け難いものとする。【解決手段】外枠を構成する底板の開き口端縁近傍には、嵌め込み穴７が設けられ、前枠の下側には下方に付勢されつつ上下スライド移動可能にされ施錠時に嵌め込み穴７に嵌め込まれる下方に突出した嵌込スライド部材６１を備え、嵌込スライド部材６１は、閉じ方向側に滑り面６３ｂが設けられ且つ開き方向側に嵌め込み穴７に嵌め込まれた際に嵌め込み穴７の規制当接内面７ａに当接して前枠の開き移動を規制する係止用当接面６２ｉが設けられており、開錠操作時には嵌込スライド部材６１を上方にスライド移動させて、係止用当接面６２ｉの規制当接内面７ａに対する当接を解除して外枠に対する前枠の開き移動を許可するようになっている。【選択図】図５
2009273484.tif 000002
【特許請求の範囲】
【請求項１】
外枠と、前記外枠に対して一側をヒンジ結合させ他側を開閉可能に取り付けられる前枠とを備えた遊技機において取り付けられ、前記外枠に対する前記前枠の閉じ状態を施錠し前記前枠に設置されたシリンダ錠の開錠操作にて開錠する遊技機用施錠装置であって、
前記外枠を構成する底板の開き口端縁近傍には、嵌め込み穴が設けられ、
前記前枠の下側には、下方に付勢されつつ上下スライド移動可能にされ施錠時に前記嵌め込み穴に嵌め込まれる下方に突出した嵌込スライド部材を備えたフック装置が設けられ、
前記嵌込スライド部材には、閉じ方向側に滑り面が設けられ、且つ開き方向側に前記嵌め込み穴に嵌め込まれた際に前記嵌め込み穴の内面に当接して前記前枠の開き移動を規制する係止用当接面が設けられ、
前記シリンダ錠を開錠操作した場合には、この開錠操作に連動して、前記係止用当接面の前記嵌め込み穴の前記内面との当接を解除するように前記嵌込スライド部材を上方にスライド移動させ、前記外枠に対する前記前枠の開き移動を許可するようになっていることを特徴とする遊技機用施錠装置。
【請求項２】
請求項１に記載の遊技機用施錠装置において、
前記前枠には、前記シリンダ錠の開錠操作に連動して下方にスライド移動するスライド移動杆が設けられ、
前記スライド移動杆は、上方に位置した場合に前記外枠に設置された雌側鉤部と係合して施錠状態とし、下方にスライド移動した場合に前記雌側鉤部との係合を解除して開錠状態とする雄側鉤部が設置され、
前記フック装置は、前記スライド移動杆が下方にスライド移動した場合には前記嵌込スライド部材の前記嵌め込み穴への嵌め込みを解除するように前記嵌込スライド部材を上方にスライド移動させる運動変換機構を備えていることを特徴とする遊技機用施錠装置。
【請求項３】
請求項２に記載の遊技機用施錠装置において、
前記運動変換機構は、前記前枠にて支持される回転軸を中心位置に配したリンク部材を備え、
前記リンク部材には、前記回転軸を対称中心とした２つの対称位置に、２つの連動用凸部が設けられ、
前記連動用凸部の一方は前記スライド移動杆と嵌合して、前記スライド移動杆のスライド移動にしたがって前記リンク部材を回転させるようになっており、
前記連動用凸部の他方は前記嵌込スライド部材と嵌合して、前記リンク部材の回転にしたがって前記嵌込スライド部材をスライド移動させるようになっており、
前記スライド移動杆が下方にスライド移動した場合には、前記リンク部材を回転させ、前記嵌込スライド部材の前記嵌め込み穴への嵌め込みを解除するように前記嵌込スライド部材を上方にスライド移動させることを特徴とする遊技機用施錠装置。
【発明の詳細な説明】
【技術分野】
【０００１】
本発明は、スロットマシンに代表される遊技機に取り付けられる遊技機用施錠装置に関する。
【背景技術】
【０００２】
従来、スロットマシンに代表される遊技機にあっては、基枠となる外枠に、適宜のヒンジ構造を有した取付部材を介して前枠が取り付けられ、各種の機器が装置される筐体が構成される。この筐体の一部を構成する前枠は、外枠に対して、取付部材によって片側開き可能となっている。この片側の開き側には、外枠に対する前枠の閉じ状態を施錠する、遊技機用施錠装置が設置される。
【０００３】
この片側の開き側に設置される遊技機用施錠装置は、雄と雌の対に構成された鉤部を備え、これら雄雌の鉤部同士が係合することによって施錠状態となるように構成されている。これら雄雌の鉤部同士の係合は、前枠に取り付けられたシリンダ錠を開錠操作することによって解除するようになっており、この鉤部同士の係合が解除した場合には、施錠状態から片側開き可能な開錠状態となる。
【０００４】
ところで、上記した前枠は、外枠に対して一側が回転支持されて他側（上記片側）が開き側となるので、前枠自身の重さにて僅かながらも外枠に対して垂れ下がってしまう。そうすると、外枠に対して前枠を閉じ状態として施錠しようとした場合に、この前枠の垂れ下がりによって前枠が下にずれてしまって、上手く閉じ状態とすることができないこともあった。そこで、従来においては、外枠に対して前枠が垂れ下がっていても、閉じ状態となる寸前に前枠を持ち上げるようにし、外枠に対して前枠を正しい位置に修正する、前枠の下端に持上げ用の支持ローラを設けた例が知られている（例えば、特許文献１参照）。
【特許文献１】特開２００５−５８３１４公報（符号１９参照）
【発明の開示】
【発明が解決しようとする課題】
【０００５】
一方で、遊技者の中には、内部を勝手に操作しようと強引に前枠をこじ開けようとする不正行為者がいる。上記開示される遊技機用施錠装置にあっては、単に、外枠に対して前枠を正しい位置に修正するだけであり、このような不正行為に関する対策を講じるるものではなかった。
【０００６】
本発明は、このような事情に鑑みなされたものであって、本発明が解決しようとする課題は、遊技機用施錠装置において、前枠自身の重さにより外枠に対して前枠が垂れ下がっていても、閉じ状態となる寸前に、前枠を持ち上げるようにして外枠に対して前枠を正しい位置に修正することができ、さらに強引に前枠をこじ開けるような不正行為に対しても、こじ開け難いようにすることにある。
【課題を解決するための手段】
【０００７】
上記課題を解決するため本発明に係る遊技機用施錠装置は、次の手段を採用する。
すなわち、請求項１に係る遊技機用施錠装置は、外枠と、前記外枠に対して一側をヒンジ結合させ他側を開閉可能に取り付けられる前枠とを備えた遊技機において取り付けられ、前記外枠に対する前記前枠の閉じ状態を施錠し前記前枠に設置されたシリンダ錠の開錠操作にて開錠する遊技機用施錠装置であって、前記外枠を構成する底板の開き口端縁近傍には、嵌め込み穴が設けられ、前記前枠の下側には、下方に付勢されつつ上下スライド移動可能にされ施錠時に前記嵌め込み穴に嵌め込まれる下方に突出した嵌込スライド部材を備えたフック装置が設けられ、前記嵌込スライド部材には、閉じ方向側に滑り面が設けられ、且つ開き方向側に前記嵌め込み穴に嵌め込まれた際に前記嵌め込み穴の内面に当接して前記前枠の開き移動を規制する係止用当接面が設けられ、前記シリンダ錠を開錠操作した場合には、この開錠操作に連動して、前記係止用当接面の前記嵌め込み穴の前記内面との当接を解除するように前記嵌込スライド部材を上方にスライド移動させ、前記外枠に対する前記前枠の開き移動を許可するようになっていることを特徴とする。
【０００８】
この遊技機用施錠装置によれば、前枠の下側には、下方に付勢されつつ上下スライド移動可能にされ施錠時に嵌め込み穴に嵌め込まれる下方に突出した嵌込スライド部材を備えたフック装置が設けられ、嵌込スライド部材には、閉じ方向側に滑り面が設けられているので、外枠に対して前枠を閉じ状態としようとする場合には、前枠自身の重さにより垂れ下がっていたとしても、この滑り面と下方に付勢されつつ突出した構造により、閉じ状態となる寸前に前枠の下側を滑らせながら外枠に対して前枠を持ち上げるように上方に移動させることができる。これによって、外枠に対して前枠が垂れ下がっていたとしても、外枠に対して前枠を正しい位置に修正することができ、外枠に対して前枠をスムーズに閉じ状態とすることができる。
【０００９】
さらに、この遊技機用施錠装置によれば、外枠を構成する底板の開き口端縁近傍には嵌め込み穴が設けられ、嵌込スライド部材には開き方向側に嵌め込み穴に嵌め込まれた際に嵌め込み穴の内面に当接して前枠の開き移動を規制する係止用当接面が設けられているので、外枠に対して前枠を閉じ状態とした場合に、嵌込スライド部材は嵌め込み穴に嵌め込まれたものとなって、嵌込スライド部材の係止用当接面は嵌め込み穴の内面に当接し、外枠に対する前枠の開き移動を規制することができる。
これによって、不正行為者が、強引に前枠をこじ開けようとした場合でも、前枠の開き移動を規制して強引な前枠のこじ開けを阻止することができる。
【００１０】
さらに、この遊技機用施錠装置によれば、シリンダ錠を開錠操作した場合には、この開錠操作に連動して、係止用当接面の嵌め込み穴の内面との当接を解除するように嵌込スライド部材を上方にスライド移動させ、外枠に対する前枠の開き移動を許可するようになっているので、シリンダ錠を開錠操作だけで、外枠に対して前枠を開かせることができる。
これによって、開錠時において、嵌め込み穴から嵌込スライド部材を引き抜くような作業も行う必要もなくなり、開錠作業効率性の観点から優れたものとなる。
【００１１】
請求項２に係る遊技機用施錠装置は、請求項１に記載の遊技機用施錠装置において、前記前枠には、前記シリンダ錠の開錠操作に連動して下方にスライド移動するスライド移動杆が設けられ、前記スライド移動杆は、上方に位置した場合に前記外枠に設置された雌側鉤部と係合して施錠状態とし、下方にスライド移動した場合に前記雌側鉤部との係合を解除して開錠状態とする雄側鉤部が設置され、前記フック装置は、前記スライド移動杆が下方にスライド移動した場合には前記嵌込スライド部材の前記嵌め込み穴への嵌め込みを解除するように前記嵌込スライド部材を上方にスライド移動させる運動変換機構を備えていることを特徴とする。
【００１２】
この遊技機用施錠装置によれば、前枠にはシリンダ錠の開錠操作に連動して下方にスライド移動するスライド移動杆が設けられ、スライド移動杆は上方に位置した場合に外枠に設置された雌側鉤部と係合して施錠状態とし下方にスライド移動した場合に雌側鉤部との係合を解除して開錠状態とする雄側鉤部が設置され、フック装置はスライド移動杆が下方にスライド移動した場合には嵌込スライド部材の嵌め込み穴への嵌め込みを解除するように嵌込スライド部材を上方にスライド移動させる運動変換機構を備えているので、シリンダ錠を開錠操作することによって雄側鉤部と雌側鉤部との係合を解除させて開錠状態とする場合に、スライド移動杆を下方にスライド移動させることとなり、嵌込スライド部材を上方にスライド移動させることとなる。つまり、雄側鉤部と雌側鉤部との係合を解除させて開錠状態とした場合には、嵌込スライド部材の嵌め込み穴への嵌め込みも同時に解除することができて、外枠に対して前枠を開けることができる。
これによって、施錠する場合においては、より強固な施錠状態とすることができながら、開錠する場合においては、通常の開錠操作のみで開錠することができるものとなる。
【００１３】
請求項３に係る遊技機用施錠装置は、請求項２に記載の遊技機用施錠装置において、前記運動変換機構は、前記前枠にて支持される回転軸を中心位置に配したリンク部材を備え、前記リンク部材には、前記回転軸を対称中心とした２つの対称位置に、２つの連動用凸部が設けられ、前記連動用凸部の一方は前記スライド移動杆と嵌合して、前記スライド移動杆のスライド移動にしたがって前記リンク部材を回転させるようになっており、前記連動用凸部の他方は前記嵌込スライド部材と嵌合して、前記リンク部材の回転にしたがって前記嵌込スライド部材をスライド移動させるようになっており、前記スライド移動杆が下方にスライド移動した場合には、前記リンク部材を回転させ、前記嵌込スライド部材の前記嵌め込み穴への嵌め込みを解除するように前記嵌込スライド部材を上方にスライド移動させることを特徴とする。
【００１４】
この遊技機用施錠装置によれば、運動変換機構は、前枠にて支持される回転軸を中心位置に配したリンク部材を備え、リンク部材には回転軸を対称中心とした２つの対称位置に２つの連動用凸部が設けられ、連動用凸部の一方はスライド移動杆と嵌合してスライド移動杆のスライド移動にしたがってリンク部材を回転させるようになっており、連動用凸部の他方は嵌込スライド部材と嵌合してリンク部材の回転にしたがって嵌込スライド部材をスライド移動させるようになっており、スライド移動杆が下方にスライド移動した場合にはリンク部材を回転させ嵌込スライド部材の嵌め込み穴への嵌め込みを解除するように嵌込スライド部材を上方にスライド移動させるので、簡単な構成としながら上記した所望の作用効果を奏することができる。
【００１５】
すなわち、シリンダ錠を開錠操作することにより、雄側鉤部と雌側鉤部との係合を解除させて開錠状態とする場合も、スライド移動杆を下方にスライド移動させることとなり、スライド移動杆のスライド移動にしたがってリンク部材を回転させ、リンク部材の回転にしたがって嵌込スライド部材を上方にスライド移動させることとなる。つまり、雄側鉤部と雌側鉤部との係合を解除させて開錠状態とした場合には、嵌込スライド部材の嵌め込み穴への嵌め込みを解除することができて、外枠に対して前枠を開けることができる。
これによって、運動変換機構を部品点数の少なくできた簡単な構成とすることができながら、施錠する場合においては、より強固な施錠状態とすることができながら、開錠する場合においては、通常の開錠操作のみで開錠することができるものとなる。
【発明の効果】
【００１６】
本発明に係る遊技機用施錠装置によれば、前枠自身の重さにより外枠に対して前枠が垂れ下がっていても、閉じ状態となる寸前に、前枠を持ち上げるようにして外枠に対して前枠を正しい位置に修正することができ、さらに強引に前枠をこじ開けるような不正行為に対しても、こじ開け難いものとすることができる。
【発明を実施するための最良の形態】
【００１７】
以下、本発明を実施するための最良の形態について、図面を参照しながら説明する。
図１は、実施の形態となる遊技機用施錠装置が取り付けられたスロットマシンの筐体構造を示す斜視図である。
図１に示すスロットマシン１は、遊技機用施錠装置１０が取り付けられる遊技機の一例であり、外枠２と前枠３とによって筐体構造をなすものである。
外枠２と前枠３とは、ヒンジ構造を有した取付部材４を介して互いは連結されている。つまり、前枠３は、外枠２に対して一側をヒンジ結合させて他側を開閉可能に取り付けられ、外枠２に対して片側開閉可能な状態となっている。なお、外枠２と前枠３とによってなされた筐体の内部には、スロットマシンとして機能させるための各種の機器が装置される。
【００１８】
ここで、外枠２を構成する底板５の開き口端縁５ａ近傍には、この端縁に沿って形成された乗り上げ板６が設置されている。この乗り上げ板６は、後に詳述するが、外枠２に対して前枠３が閉じ状態となる寸前に嵌込スライド部材６１の閉じ方向側に設けられた滑り面６３ｂが接する部材であり、前枠３の下側の滑りを向上させるためのものである。
具体的には、乗り上げ板６は、金属板の折曲加工により形成されるものであって、開き口端縁５ａ側に形成される乗り上げ傾斜面部６ａと平面部６ｂとを備えて構成される（図６等参照）。また、乗り上げ板６の一側には、外枠２とともに形成される嵌め込み穴７が設けられている。
【００１９】
次に、遊技機用施錠装置１０の具体的な構成について説明する。
遊技機用施錠装置１０は、外枠２に対して前枠３が閉じ状態となった場合に、外枠２に対して前枠３を施錠し前枠３側に設置されたシリンダ錠４２の開錠操作にて開錠するものであり、スロットマシン１の外枠２および前枠３のうち、取付部材４の取付け側（一側）とは反対側の開閉側（他側）に取り付けられる。
遊技機用施錠装置１０は、図１に示すように、大略、外枠２に取り付けられる雌側施錠具２０と、前枠３に取り付けられる雄側施錠具４０とを具備して構成される。
【００２０】
図２は、遊技機用施錠装置１０を外枠２および前枠３から取外した斜視図である。図２（Ａ）は施錠状態の斜視図であり、図２（Ｂ）は開錠状態の斜視図である。また、図３は雌側施錠具２０の分解斜視図であり、図４は雄側施錠具４０の分解斜視図である。また、図５は、嵌め込み穴７とフック装置６０に関する分解斜視図である。
【００２１】
雌側施錠具２０は、図２および図３に示すように、外枠２に取り付けられる雌側施錠杆２１と、この雌側施錠杆２１の略中央個所に設置されるロック装置本体３０とを備えて構成される。
雌側施錠杆２１は、開口した外枠２の他側の内周縁に亘るように延びて形成されており、その上部と下部に、後に説明する上下の雄側鉤部５２，５６に対応した上雌側鉤部２２および下雌側鉤部２３が１つずつの合計２つ設けられている。この上下の雌側鉤部２２，２３は、外枠２に取り付けられた際に、取付部材４の設置側に向かって突出する片状で形成されている。
【００２２】
ロック装置としてのロック装置本体３０は、雄側鉤部５２，５６と雌側鉤部２２，２３との係合をより強固なものとするために設けられるものであり、後に説明する雄側施錠具４０のロック係止部４５ｃに係止することによって、その係合の解除を規制するようにロックする。
図３に示すように、ロック装置本体３０は、大略、上記したロック係止部４５ｃを係止させるロック部材３１と、ロック部材３１をスライド移動可能に保持する保持部３５と、このロック部材３１を付勢する付勢ばね３８とを備えて構成される。なお、ロック部材３１は、保持部３５に対して、螺子部材３９にて雌側施錠杆２１の延びる方向と交差する方向にスライド移動可能に取り付けられている。
【００２３】
ロック部材３１は、金属片を適宜に折り曲げ加工されて形成されるものである。ロック部材３１は、折り曲げ加工にて適宜の隙間が設けられて平行配置された挟み込み部３２と、この挟み込み部３２の端縁に設けられたカム当接部３３と、カム当接部３３とは反対側に位置するばね係止部３４とを備えて構成される。
挟み込み部３２は、施錠時において、後に説明する連結杆４５を挟み込むように位置するものであり、連結杆４５が入り込むことが可能な程度の隙間間隔を有して２つの板状部分が平行配置されて形成される。この挟み込み部３２には、螺子部材３９が挿通される長穴３２ａが設けられている。また、挟み込み部３２の上縁が、ロック係止部４５ｃの下縁に当接する規制用当接部３２ｂとして機能するようになっている。
【００２４】
カム当接部３３は、後に説明するシリンダ錠４２に取り付けられるカム４３の押出し当接部４３ｄが当接する個所である。具体的には、カム当接部３３は、押出し当接部４３ｄが当接する上方に位置した傾斜面部３３ａと、その傾斜面部３３ａの下端に接続されたリブ部３３ｂとにより形成されている。傾斜面部３３ａは、連結杆４５側に向かうにしたがって下方に傾斜した面で形成されている。リブ部３３ｂは、上端が傾斜面部３３ａの下端と接続されて鉛直方向に延びる形状を有して形成されている。
ばね係止部３４は、上記した付勢ばね３８の一端が係止される個所であり、適宜の突起形状を有して形成される。
【００２５】
保持部３５は、ロック部材３１のスライド移動を案内するスライド案内部３５ａを備える。スライド案内部３５ａは、ロック部材３１の設置側に突出してスライド移動方向に延びるように形成される。スライド案内部３５ａは、挟み込み部３２の上下の端縁と摺接する個所となっている。なお、この保持部３５には、付勢ばね３８の他端が係止されるばね係止部３５ｂと、螺子部材３９を受ける螺子孔３５ｃが設けられている。また、付勢ばね３８は、適宜のコイルばねで構成されており、ばね係止部３４，３５ｂに両端が係止されてロック部材３１を、連結杆４５（前枠３）側に付勢している。
【００２６】
雄側施錠具４０は、図２および図４に示すように、大略、開口した前枠３の他側の内周縁に亘るように延びて形成され収納保持部材４１と、収納保持部材４１にて保持されるシリンダ錠４２と、シリンダ錠４２の開錠操作に連動して回転するカム４３と、カム４３の回転に連動して上下スライド移動する連結杆４５と、連結杆４５の上部および下部に連結される２つの雄側施錠杆５１，５５とを備えて構成される。
なお、カム４３を介してシリンダ錠４２の開錠操作に連動し上下スライド移動する連結杆４５、および連結杆４５に連結される雄側施錠杆５１，５５は、本発明に係るスライド移動杆に相当するものである。
【００２７】
図４に示すように、収納保持部材４１は、上面視コ字状の収納凹部４１ａを有して形成され。この収納凹部４１ａには、上記したカム４３、連結杆４５、２つの雄側施錠杆５１，５５が収納保持される。また、収納保持部材４１の略中央個所には、シリンダ錠４２を設置するための錠取付口４１ｂが設けられており、適宜の螺子部材４１ｃを介してシリンダ錠４２が取り付けられる。
【００２８】
また、収納保持部材４１は、その下部において、後に説明するフック装置６０に対応した適宜の構造を備える。すなわち、収納保持部材４１は、図５に示すように、フック装置６０の一部が当接する上端規制部４１ｆ，４１ｇと、回転軸６６を支持する軸支孔４１ｈと、付勢ばね６７の一端を係止する係止突起４１ｉと、案内部材６８を取り付けるための螺子孔４１ｊとが設けられている。
【００２９】
シリンダ錠４２は、シリンダ状の外観を有し、挿し込んだ鍵にて開錠もしくは施錠操作を行うものである。この開錠操作にしたがって開錠軸部４２ａは回転するようになっている。なお、シリンダ錠４２には、螺子部材４１ｃを介して取り付けるにあたっての取付用フランジ部４２ｂが設けられている。
【００３０】
カム４３は、シリンダ錠４２の開錠操作に沿って回転する開錠軸部４２ａに、この回転にしたがって回転するように取り付けられるものであって、開錠軸部４２ａの外周形状と合致する取付孔４３ａを有する。この取付孔４３ａには、開錠軸部４２ａが嵌合され、適宜の螺子部材４３ｅにて固定される。
カム４３には、連結杆４５に設けられた差込孔４５ａ，４５ｂに適宜の遊びを有しながら嵌合される２つの嵌合突出部４３ｂ，４３ｃが設けられている。これら２つの嵌合突出部４３ｂ，４３ｃのうち、上方に位置する１つの嵌合突出部４３ｂの先端には、折り曲げにより形成された押出し当接部４３ｄが設けられている。
【００３１】
押出し当接部４３ｄは、上記したようにロック部材３１のカム当接部３３に当接する個所である。押出し当接部４３ｄは、上記した嵌合突出部４３ｂを差込孔４５ａに挿し込んで組み付けた場合には、連結杆４５に対して取付孔４３ａの位置する側とは反対側において位置するようになっている。
この押出し当接部４３ｄは、開錠操作前の施錠状態にあってはロック部材３１のカム当接部３３（傾斜面部３３ａ）の上方に位置するようになっており、開錠操作にしたがったカム４３の回転（右回りの回転）に応じてカム当接部３３の傾斜面部３３ａに当接し、開錠完了時にはリブ部３３ｂに当接した位置に位置するようになっている。つまり、この押出し当接部４３ｄと、カム当接部３３とにより、開錠操作前のロック状態を解除するようになっている。
【００３２】
連結杆４５は、上下方向に延びる長尺板状に形成され、略中央部位に上記したカム４３の嵌合突出部４３ｂ，４３ｃが嵌合する差込孔４５ａ，４５ｂが２つ設けられている。さらに、この略中央部位には、上下方向に対して交差する方向に突出したロック係止部４５ｃが設けられている。このロック係止部４５ｃは、上記したようにロック装置本体３０のロック部材３１と当接して係止する個所である。
【００３３】
連結杆４５の上端近傍および下端近傍には、上雄側施錠杆５１および下雄側施錠杆５５が取り付けられる長穴４５ｄ，４５ｅが設けられている。この長穴４５ｄ，４５ｅは、上下方向に延びた形状を有しており、適宜の螺子部材５４，５９を介して、これら上下の雄側施錠杆５１，５５が上下スライド移動可能に取り付けられる。
なお、通常状態では、それぞれの長穴４５ｄ，４５ｅの上端に、それぞれの螺子部材５４，５９が位置するように、連結杆４５、上雄側施錠杆５１、下雄側施錠杆５５は配置されている。言い換えれば、通常状態では、連結杆４５、上雄側施錠杆５１、下雄側施錠杆５５は、上方にスライド移動しきった上端位置に位置しており、開錠操作がなされて連結杆４５が下方にスライド移動した場合には、これに連動して上雄側施錠杆５１および下雄側施錠杆５５も下方にスライド移動するようになっている。
【００３４】
上雄側施錠杆５１は、図４に示すように、上下方向に延びた長尺杆状に形成されるものであって、上下方向にスライド移動可能に、適宜の螺子部材５４を介して連結杆４５の上部に連結されている。この螺子部材５４の端部は、収納保持部材４１に設けられた長穴４１ｄ内にスライド移動可能に挿通されており、この上雄側施錠杆５１の上下方向のスライド移動を案内するようになっている。また、この上雄側施錠杆５１は、その上部に上雄側鉤部５２が設けられている。上雄側鉤部５２は、上記した雌側施錠杆２１の上雌側鉤部２２に下方から係合する鉤状に形成され、雌側施錠具２０に向かうにしたがって下方に傾斜した傾斜部５２ａが設けられている。
【００３５】
また、この上雄側施錠杆５１は、一端が上雄側施錠杆５１に係止され且つ他端が収納保持部材４１に係止された２つの付勢ばね５３ａ，５３ｂにて、上方に付勢されている。この２つの付勢ばね５３ａ，５３ｂの上方への付勢により、上雄側鉤部５２は、上記した雌側施錠杆２１の上雌側鉤部２２に、その下方から係合するようになっている。
このように構成された上雄側施錠杆５１は、上記した連結杆４５の下方のスライド移動に連動して、付勢ばね５３ａ，５３ｂの付勢力に抗して、下方にスライド移動するようになっており、この下方へのスライド移動によって上雄側鉤部５２の上雌側鉤部２２に対する係合は解除されるようになっている。
【００３６】
下雄側施錠杆５５は、図４に示すように、上下方向に延びた長尺杆状に形成されるものであって、上下方向にスライド移動可能に、適宜の螺子部材５９を介して連結杆４５の下部に連結されている。この螺子部材５９の端部は、収納保持部材４１に設けられた長穴４１ｅ内にスライド移動可能に挿通されており、この下雄側施錠杆５５の上下方向のスライド移動を案内するようになっている。また、この下雄側施錠杆５５は、その略中央部位に下雄側鉤部５６が設けられている。下雄側鉤部５６は、上記した雌側施錠杆２１の下雌側鉤部２３に下方から係合する鉤状に形成され、雌側施錠具２０に向かうにしたがって下方に傾斜した傾斜部５６ａが設けられている。
【００３７】
また、下雄側施錠杆５５の下部には、図４に示すように、後に説明するリンク部材６５を回転可能に軸支する回転軸６６が挿通される挿通長穴５７と、この挿通長穴５７の隣接する第１嵌合穴５８が設けられている。挿通長穴５７は、回転軸６６が挿通可能な幅に設定され、この回転軸６６を支持する収納保持部材４１に対して下雄側施錠杆５５が上下方向にスライド移動できるように、鉛直方向に延びて形成される。また、第１嵌合穴５８は、リンク部材６５の第１連動用凸部６５ｂが嵌合する個所であり、鉛直方向に延びて形成される。
【００３８】
また、この下雄側施錠杆５５は、連結杆４５を介した上雄側施錠杆５１の上方の付勢力により上方に付勢されている。この上方への付勢により、下雄側鉤部５６は、上記した下雌側鉤部２３に下方から係合するようになっている。
このように構成された下雄側施錠杆５５は、上記した連結杆４５の下方のスライド移動に連動して、上記した付勢力に抗して、下方にスライド移動するようになっており、この下方へのスライド移動によって下雄側鉤部５６の下雌側鉤部２３に対する係合は解除されるようになっている。
【００３９】
このように構成されたスライド移動杆としての連結杆４５、上雄側施錠杆５１、および下雄側施錠杆５５は、上記した付勢ばね５３ａ，５３ｂの付勢力により、常時、上方に付勢されている。つまり、連結杆４５、上雄側施錠杆５１、および下雄側施錠杆５５は、シリンダ錠４２を開錠操作した場合に限って、この上方の付勢力に抗して下方にスライド移動するようになっており、シリンダ錠４２を開錠操作していない場合には上方にスライド移動しきった上端位置に位置するようになっている。
【００４０】
次に、乗り上げ板６に設けられた嵌め込み穴７と、この嵌め込み穴７に嵌め込まれる嵌込スライド部材６１を備えたフック装置６０に関して説明する。
嵌め込み穴７は、図２（Ｂ）および図５に示すように、嵌込スライド部材６１が嵌め込まれる個所であり、その内部の図示矢印＋Ｘ方向となる開き方向位置には、鉛直方向に延びる規制当接内面７ａが設けられている。
【００４１】
フック装置６０は、図５に示すように、上記した下雄側施錠杆５５および収納保持部材４１の下部に設置されるものであって、大略、下雄側施錠杆５５の下端から下方に突出した嵌込スライド部材６１と、運動変換機構としてのリンク部材６５と、嵌込スライド部材６１を下方に付勢する付勢ばね６７と、嵌込スライド部材６１のスライド移動を案内する案内部材６８とを備えて構成される。
【００４２】
嵌込スライド部材６１は、大略、上下方向にスライド移動するスライド基体６２と、このスライド基体６２に取り付けられる持上げ差込部６３とを備えて構成される。
スライド基体６２は、金属板の折曲加工により形成されるものであって、リンク部材６５を介して下雄側施錠杆５５に対して上下方向にスライド移動するものであり、上部にスライド移動に関する種々の構造を備えるとともに、下部に前枠３の閉じ状態に関する種々の構造を備える。
【００４３】
具体的には、スライド基体６２の上部には、リンク部材６５を回転支持する回転軸６６を挿通させる長穴部６２ａと、リンク部材６５に設けられた第２連動用凸部６５ｃが嵌合する第２嵌合穴６２ｂと、最上方にスライド移動した場合に収納保持部材４１の上端規制部４１ｆ，４１ｇに当接して移動を規制する規制凸部６２ｃおよび規制凹部６２ｄとが設けられている。
長穴部６２ａは、回転軸６６が上下方向にスライド移動することができるように、上方が開口され且つ上下方向に延びた形状を有してなる。第２嵌合穴６２ｂは、長穴部６２ａと連なり且つ交差方向に延びた形状を有してなる。規制凸部６２ｃおよび規制凹部６２ｄは、適宜の凸形状および凹形状を有してなるものである。
【００４４】
スライド基体６２の下部には、適宜の螺子部材６４を介して持上げ差込部６３が取り付けられる取付部６２ｅと、案内部材６８の案内部６８ａが接する係止用当接壁部６２ｆと、付勢ばね６７の他端を係止する係止突起６２ｇとが設けられている。取付部６２ｅは、螺子部材６４を受ける螺子孔６２ｈが設けられている。係止用当接壁部６２ｆは、取付部６２ｅの開き方向（＋Ｘ方向）側に隣接する個所に、鉛直方向に延びるように設けられている。この係止用当接壁部６２ｆの開き方向（＋Ｘ方向）側の面が、嵌め込み穴７に嵌め込まれた際に嵌め込み穴７の規制当接内面７ａに当接して前枠３の開き移動を規制する係止用当接面６２ｉとして機能している。
【００４５】
持上げ差込部６３は、傷んだ際に取替え可能な樹脂成形により形成されるものであって、螺子部材６４を介して取付部６２ｅに取り付けるための螺子孔６３ａが設けられている。
この持上げ差込部６３の下部には、閉じ方向（−Ｘ方向）側に滑り面６３ｂが形成され、且つ開き方向（＋Ｘ方向）側に上記した係止用当接壁部６２ｆに当接して支持される当接支持面６３ｃが形成されている。
滑り面６３ｂは、前枠３を持ち上げるように乗り上げ板６に対して滑らかに接する個所であり、図示するように適宜の曲面形状を有してなる。これに対し、当接支持面６３ｃは、上記した係止用当接壁部６２ｆに、ぴったり当接するように、鉛直方向に延びた平面形状を有しており、係止用当接壁部６２ｆに当接して支持されることにより、外枠２に対して前枠３を閉じ状態とする際の、乗り上げ板６に対する持上げ差込部６３の抗した力を支持できるものとなっている。
【００４６】
リンク部材６５は、中心位置に回転軸６６を挿通するための軸孔６５ａが設けられた円形形状を有してなるものであって、この軸孔６５ａに回転軸６６が挿通支持されて回転するようになっている。このリンク部材６５は、回転軸６６を対称中心とした２つの対称位置に、２つの連動用凸部６５ｂ，６５ｃが設けられている。具体的には、回転軸６６が挿通される軸孔６５ａを対称中心とした２つの対称位置であって両側面に１つずつ合計２つの連動用凸部６５ｂ，６５ｃが設けられている。
【００４７】
これら連動用凸部６５ｂ，６５ｃのうち、一方となる第１連動用凸部６５ｂは、上記した下雄側施錠杆５５の下部に設けられた第１嵌合穴５８と嵌合するものであり、他方となる第２連動用凸部６５ｃは、上記したスライド基体６２に設けられた第２嵌合穴６２ｂと嵌合するものである。つまり、リンク部材６５は回転可能に軸支され、これら連動用凸部６５ｂ，６５ｃが嵌合穴５８，６２ｂに嵌合していることによって、リンク部材６５は下雄側施錠杆５５のスライド移動にしたがって回転し、嵌込スライド部材６１はリンク部材６５の回転にしたがってスライド移動するようになっている。
案内部材６８は収納保持部材４１に螺子部材６９にて取り付けられている。この案内部材６８は、スライド基体６２の係止用当接壁部６２ｆに当接して、スライド基体６２のスライド移動を案内する案内部６８ａを備える。
【００４８】
フック装置６０は、このように構成された各部が組み付けられて構成されるものであり、通常状態では、上記した付勢ばね６７の付勢力により、嵌込スライド部材６１は下方に突出させるように下方に付勢されている。つまり、リンク部材６５は、嵌込スライド部材６１側の第２嵌合穴６２ｂと嵌合する第２連動用凸部６５ｃを下方に位置させ、下雄側施錠杆５５側の第１嵌合穴５８と嵌合する第１連動用凸部６５ｂを上方に位置させるように回転停止している。なお、この通常状態では、下雄側施錠杆５５は、上記したように上方にスライド移動しきった上端位置に位置している。
【００４９】
以上のように構成された遊技機用施錠装置１０は、次のように作動する。
まず、施錠時における遊技機用施錠装置１０の作動に関して説明する。
図６および図７は、施錠時におけるフック装置６０等に関しての拡大作動側面図である。図６（Ａ）は、開錠状態を示すフック装置６０等に関する拡大側面図である。図６（Ｂ）は、乗り上げ時（持上げ差込部６３が傾斜面部６ａに当接時）を示すフック装置６０等に関する拡大側面図である。図７（Ａ）は、乗り上げ時（持上げ差込部６３が平面部６ｂに当接時）を示すフック装置６０等に関する拡大側面図である。図７（Ｂ）は、施錠状態を示すフック装置６０等に関する拡大側面図である。
【００５０】
図６（Ａ）に示す開錠状態においては、上記した通常状態となっている。すなわち、スライド移動杆としての下雄側施錠杆５５は、上記した付勢ばね５３ａ，５３ｂ（図４参照）の付勢力により、上方にスライド移動しきった上端位置に位置している。フック装置６０を構成する嵌込スライド部材６１は、上記した付勢ばね６７の付勢力により、下方に突出している。運動変換機構としてのリンク部材６５は、第１嵌合穴５８（下雄側施錠杆５５）と嵌合する第１連動用凸部６５ｂが上方に位置し、第２嵌合穴６２ｂ（嵌込スライド部材６１）と嵌合する第２連動用凸部６５ｃが下方に位置して回転が停止した状態となっている。なお、この際、前枠３は、前枠３自身の重さにて、僅かながらではあるが外枠２に対して下方にずれた、いわゆる垂れ下がった状態となっている。
【００５１】
次いで、外枠２に対して前枠３を閉じようとすると、図６（Ｂ）に示すようになる。すなわち、図６（Ｂ）に示す乗り上げ時（持上げ差込部６３が傾斜面部６ａに当接時）においては、嵌込スライド部材６１を構成する持上げ差込部６３の滑り面６３ｂが、乗り上げ板６の乗り上げ傾斜面部６ａに当接する。この滑り面６３ｂが乗り上げ傾斜面部６ａに当接した状態では、下雄側施錠杆５５は上方にスライド移動しきった上端位置に位置し、嵌込スライド部材６１は下方に突出したままの状態となっており、リンク部材６５も上記と同様の位置で回転が停止した状態となっている。
【００５２】
この持上げ差込部６３の滑り面６３ｂが、乗り上げ板６の乗り上げ傾斜面部６ａに当接した状態から、外枠２に対して前枠３をさらに閉じようとすると、持上げ差込部６３の滑り面６３ｂが、乗り上げ板６の乗り上げ傾斜面部６ａに沿って上っていくようになり、この持上げ差込部６３を備えた嵌込スライド部材６１が前枠３の荷重を支えるようになる。この際、嵌込スライド部材６１は、付勢ばね６７の付勢力に抗して上方にスライド移動して上端位置に位置し、リンク部材６５は図示右回りに回転し、第１嵌合穴５８（下雄側施錠杆５５）と嵌合する第１連動用凸部６５ｂが下方に位置し、第２嵌合穴６２ｂ（嵌込スライド部材６１）と嵌合する第２連動用凸部６５ｃが上方に位置する。なお、下雄側施錠杆５５は、上記した付勢ばね５３ａ，５３ｂ（図４参照）の付勢力により、上方にスライド移動しきった上端位置に位置している。
【００５３】
そして、図７（Ａ）に示すように、持上げ差込部６３および案内部材６８の下端面が、乗り上げ板６の平面部６ｂに当接するように、嵌込スライド部材６１が乗り上げ板６に乗り上げた状態となる。この場合には、嵌込スライド部材６１および案内部材６８が前枠３の荷重を支えることとなり、外枠２に対して前枠３を持ち上げるように上方に移動した状態となっている。
また、この際、図７（Ａ）に示すように、施錠状態となる寸前、すなわち雄側施錠杆５５（５１）の雄側鉤部５６（５２）は、雌側施錠杆２１の雌側鉤部２３（２２）と係合しようとする寸前である。具体的には、雄側鉤部５６（５２）の傾斜部５６ａ（５２ａ）が、その傾斜にしたがって、雄側施錠杆５５（５１）を引き下げるようにスライド移動させている。
【００５４】
次いで、外枠２に対して前枠３を閉じ状態として施錠するために、さらに閉じようとすると、図７（Ｂ）に示すようになる。すなわち、図７（Ｂ）に示す施錠状態においては、フック装置６０を構成する嵌込スライド部材６１が、乗り上げ板６に設けられた嵌め込み穴７の位置に位置し、上記した付勢ばね６７の付勢力により下方に突出し、嵌込スライド部材６１は嵌め込み穴７に嵌め込まれたものとなる。この際、リンク部材６５は、第１嵌合穴５８（下雄側施錠杆５５）と嵌合する第１連動用凸部６５ｂが上方に位置し、第２嵌合穴６２ｂ（嵌込スライド部材６１）と嵌合する第２連動用凸部６５ｃが下方に位置して回転が停止した状態となっている。
【００５５】
次に、開錠操作時における遊技機用施錠装置１０の作動に関して説明する。
図８は、開錠操作時におけるフック装置６０等に関しての拡大作動側面図である。図８（Ａ）は、施錠状態を示すフック装置６０等に関する拡大側面図である。図８（Ｂ）は、開錠操作状態を示すフック装置６０等に関する拡大側面図である。
図８（Ａ）に示す施錠状態においては、嵌込スライド部材６１が嵌め込み穴７に嵌め込まれ、雄雌の鉤部５６，２３同士が係合していることとのみが異なるのみであり、その他の状態に関しては、図６（Ａ）に示す通常状態と同様である。すなわち、下雄側施錠杆５５は付勢ばね５３ａ，５３ｂ（図４参照）の付勢力により上方にスライド移動しきった上端位置に位置している。フック装置６０を構成する嵌込スライド部材６１は付勢ばね６７の付勢力により下方に突出している。リンク部材６５は、第１嵌合穴５８と嵌合する第１連動用凸部６５ｂが上方に位置し、第２嵌合穴６２ｂと嵌合する第２連動用凸部６５ｃが下方に位置して回転が停止した状態となっている。
【００５６】
この図８（Ａ）に示す状態から、シリンダ錠４２を開錠操作すると、図８（Ｂ）に示す状態となる。すなわち、シリンダ錠４２を開錠操作すると、シリンダ錠の開錠操作によってカム４３が回転する。このカム４３が回転すると、かむ４３と連結される連結杆４５が、下方にスライド移動する。この連結杆４５の下方へのスライド移動によって、連結杆４５の下部に連結された下雄側施錠杆５５も、下方へスライド移動する。
【００５７】
そうすると、図８（Ｂ）に示すように、下雄側施錠杆５５の下方へのスライド移動により、第１嵌合穴５８も下方にスライド移動する。これによって、この第１嵌合穴５８に嵌合していた第１連動用凸部６５ｂは下方に移動するので、回転支持されるリンク部材６５は右回りで回転し、第２連動用凸部６５ｃは上方に移動し、この第２連動用凸部６５ｃが嵌合している第２嵌合穴６２ｂは上方に移動する。このようにして、第２嵌合穴６２ｂが設けられた嵌込スライド部材６１は、嵌め込み穴７から抜け出ることとなる。また、同時に、雄雌の鉤部５６，２３同士の係合は解除され、外枠２に対する前枠２の開き移動が許可されたようになる。
【００５８】
この遊技機用施錠装置１０によれば、前枠３の下側には、下方に付勢されつつ上下スライド移動可能にされ施錠時に嵌め込み穴７に嵌め込まれる下方に突出した嵌込スライド部材６１を備えたフック装置６０が設けられ、嵌込スライド部材６１は、閉じ方向（−Ｘ方向）側に滑り面６３ｂが設けられているので、外枠２に対して前枠３を閉じ状態としようとする場合には、前枠３自身の重さにより垂れ下がっていたとしても、この滑り面６３ｂと下方に付勢されつつ突出した構造により、閉じ状態となる寸前に前枠３の下側を滑らせながら外枠２に対して前枠３を持ち上げるように上方に移動させることができる。
これによって、外枠２に対して前枠３が垂れ下がっていたとしても、外枠２に対して前枠３を正しい位置に修正することができ、外枠２に対して前枠３をスムーズに閉じ状態とすることができる。
【００５９】
さらに、この遊技機用施錠装置１０によれば、外枠２を構成する底板５の開き口端縁５ａ近傍には嵌め込み穴７が設けられ、嵌込スライド部材６１には開き方向（＋Ｘ方向）側に嵌め込み穴７に嵌め込まれた際に嵌め込み穴７の規制当接内面７ａに当接して前枠３の開き移動を規制する係止用当接面６２ｉが設けられているので、外枠２に対して前枠３を閉じ状態とした場合に、嵌込スライド部材６１は嵌め込み穴７に嵌め込まれたものとなって、嵌込スライド部材６１の係止用当接面６２ｉは嵌め込み穴７の係止用当接面６２ｉに当接し、外枠２に対する前枠３の開き移動を規制することができる。
これによって、不正行為者が、強引に前枠３をこじ開けようとした場合でも、前枠３の開き移動を規制して強引な前枠３のこじ開けを阻止することができる。
【００６０】
さらに、この遊技機用施錠装置１０によれば、シリンダ錠４２を開錠操作した場合には、この開錠操作に連動して、係止用当接面６２ｉの嵌め込み穴７の係止用当接面６２ｉとの当接を解除するように嵌込スライド部材６１を上方にスライド移動させ、外枠２に対する前枠３の開き移動を許可するようになっているので、シリンダ錠４２を開錠操作だけで、外枠２に対して前枠３を開かせることができる。
これによって、開錠時において、嵌め込み穴７から嵌込スライド部材６１を引き抜くような作業も行う必要もなくなり、開錠作業効率性の観点から優れたものとなる。
【００６１】
この遊技機用施錠装置１０によれば、前枠３に設置された収納保持部材４１にて支持される回転軸６６を中心位置に配したリンク部材６５を備え、リンク部材６５には回転軸６６を対称中心とした２つの対称位置に２つの連動用凸部６５ｂ，６５ｃが設けられ、第１連動用凸部６５ｂは下雄側施錠杆５５の第１嵌合穴５８と嵌合して下雄側施錠杆５５のスライド移動にしたがってリンク部材６５を回転させるようになっており、第２連動用凸部６５ｃは嵌込スライド部材６１の第２嵌合穴６２ｂと嵌合してリンク部材６５の回転にしたがって嵌込スライド部材６１をスライド移動させるようになっている。
【００６２】
そうすると、下雄側施錠杆５５が下方にスライド移動した場合にはリンク部材６５を回転させ嵌込スライド部材６１の嵌め込み穴７への嵌め込みを解除するように嵌込スライド部材６１を上方にスライド移動させるので、シリンダ錠４２を開錠操作することにより、雄側鉤部５６（５２）と雌側鉤部２３（２２）との係合を解除させて開錠状態とする場合も、下雄側施錠杆５５を下方にスライド移動させることとなり、下雄側施錠杆５５のスライド移動にしたがってリンク部材６５を回転させ、リンク部材６５の回転にしたがって嵌込スライド部材６１を上方にスライド移動させることとなる。つまり、雄側鉤部５６（５２）と雌側鉤部２３（２２）との係合を解除させて開錠状態とした場合には、嵌込スライド部材６１の嵌め込み穴７への嵌め込みを解除することができて、外枠２に対して前枠３を開けることができる。
これによって、部品点数の少なくできた簡単な構成とすることができながら、施錠する場合においては、より強固な施錠状態とすることができながら、開錠する場合においては、通常の開錠操作のみで開錠することができるものとなる。
【００６３】
この遊技機用施錠装置１０によれば、前枠３自身の重さにより外枠２に対して前枠３が垂れ下がっていても、閉じ状態となる寸前に、前枠３を持ち上げるようにして外枠２に対して前枠３を正しい位置に修正することができ、さらに強引に前枠３をこじ開けるような不正行為に対しても、こじ開け難いものとすることができる。
【００６４】
なお、本発明に係る遊技機用施錠装置にあっては、上記した実施の形態に限定されるものではなく、本発明の要旨を変更しない範囲で適宜に選択変更することができる。
例えば、上記実施の形態においては、遊技機の一例としてスロットマシンを挙げ、遊技機用施錠装置に関して説明するものであった。しかしながら、本発明に係る遊技機は、これに限定されることなく、例えば、パチンコ機等の遊技盤面を備えて構成されるものであってもよい。
【００６５】
また、上記実施の形態におけるスライド移動杆としては、連結杆４５および雄側施錠杆５１，５５の３つの部材で構成されるものを挙げたが、本発明に係るスライド移動杆は、これに限定されるものではなく、例えば１つの部材で構成されたもの等の適宜の数で構成されたものを選択することができる。
また、上記実施の形態における運動変換機構としては、リンク部材６５を備えて構成されるものを挙げたが、本発明に係る運動変換機構は、これに限定されるものではなく、例えばクランク機構等の適宜に運動変換可能な機構を選択することができる。
また、上記実施の形態におけるリンク部材としては、円形形状で形成された例を挙げて説明するものであったが、本発明に係るリンク部材は、これに限定されるものではなく、適宜に回転可能な形状を選択することができる。
【図面の簡単な説明】
【００６６】
【図１】実施の形態となる遊技機用施錠装置が取り付けられたスロットマシンの筐体構造を示す斜視図である。
【図２】遊技機用施錠装置を外枠および前枠から取外した斜視図である。
【図３】雌側施錠具の分解斜視図である。
【図４】雄側施錠具の分解斜視図である。
【図５】嵌め込み穴とフック装置に関する分解斜視図である。
【図６】施錠時（開錠状態〜乗り上げ）におけるフック装置等に関しての拡大作動側面図である。
【図７】施錠時（乗り上げ〜施錠状態）におけるフック装置等に関しての拡大作動側面図である。
【図８】開錠操作時におけるフック装置等に関しての拡大作動側面図である。
【符号の説明】
【００６７】
１  スロットマシン（遊技機）
２  外枠
３  前枠
４  取付部材
５  底板
５ａ  開き口端縁
６  乗り上げ板
６ａ  乗り上げ傾斜面部
６ｂ  平面部
７  嵌め込み穴
７ａ  規制当接内面
１０  遊技機用施錠装置
２０  雌側施錠具
２１  雌側施錠杆
２２  上雌側鉤部
２３  下雌側鉤部
３０  ロック装置本体
３１  ロック部材
３２  挟み込み部
４０  雄側施錠具
４１  収納保持部材
４２  シリンダ錠
４３  カム
４５  連結杆
４５ａ，４５ｂ  差込孔
４５ｃ  ロック係止部
５１  上雄側施錠杆
５２  上雄側鉤部
５２ａ  傾斜部
５５  下雄側施錠杆
５６  下雄側鉤部
５６ａ  傾斜部
５７  挿通長穴
５８  第１嵌合穴
６０  フック装置
６１  嵌込スライド部材
６２  スライド基体
６２ａ  長穴部
６２ｂ  第２嵌合穴
６２ｃ  規制凸部
６２ｄ  規制凹部
６２ｅ  取付部
６２ｆ  係止用当接壁部
６２ｉ  係止用当接面
６３  持上げ差込部
６３ｂ  滑り面
６３ｃ  当接支持面
６５  リンク部材
６５ａ  軸孔
６５ｂ  第１連動用凸部
６５ｃ  第２連動用凸部
６６  回転軸
６７  付勢ばね
６８  案内部材
【図１】
2009273484.tif 000003
【図２】
2009273484.tif 000004
【図３】
2009273484.tif 000005
【図４】
2009273484.tif 000006
【図５】
2009273484.tif 000007
【図６】
2009273484.tif 000008
【図７】
2009273484.tif 000009
【図８】
2009273484.tif 000010